【手続補正書】
【提出日】平成18年2月27日(2006.2.27)
【手続補正１】
【補正対象書類名】明細書
【補正対象項目名】発明の名称
【補正方法】変更
【補正の内容】
【発明の名称】ストロボ撮影システムおよびカメラ
【手続補正２】
【補正対象書類名】明細書
【補正対象項目名】特許請求の範囲
【補正方法】変更
【補正の内容】
【特許請求の範囲】
【請求項１】カメラ本体と、該カメラ本体に装着される交換レンズと、前記カメラ本体に装着されるストロボとにより構成され、ストロボ撮影に際して本発光前に予備発光を行うストロボ撮影システムにおいて、
被写界を複数に分割して測光する複数の領域を有し、予備発光による被写体からの反射光を前記複数の領域それぞれにて測光する測光手段と、フォーカシングレンズの位置から被写体の距離情報を検出する被写体距離検出手段と、前記距離情報の精度を判別する距離精度判別手段と、前記距離情報より適正測光レベルを算出する第１の演算手段と、前記距離精度判別手段の判別結果に応じて設定される距離精度と前記適正測光レベルをもとに、異常反射領域を識別するための識別レベルを算出する第２の演算手段と、前記複数の領域もしくは複数の領域中の調光領域の測光値を前記識別レベルと比較することで異常反射領域を判別する判別手段とを有し、
前記複数の領域もしくは複数の領域中の調光領域から前記異常反射領域を除外した領域による被写体反射光の測光値により、本発光量を制御してストロボ撮影を行うことを特徴とするストロボ撮影システム。
【請求項２】前記距離精度判別手段は、前記交換レンズに記憶された識別データに従って距離精度の判別を行うことを特徴とする請求項１に記載のストロボ撮影システム。
【請求項３】前記距離精度判別手段は、前記交換レンズが持つ距離精度に応じた情報信号に従って距離精度の判別を行うものであり、前記カメラ本体に具備されていることを特徴とする請求項１に記載のストロボ撮影システム。
【請求項４】前記距離精度判別手段は、前記交換レンズが持つレンズ個別情報に従って距離精度の判別を行うものであり、前記カメラ本体に具備されていることを特徴とする請求項１に記載のストロボ撮影システム。
【請求項５】前記距離精度判別手段は、前記交換レンズが持つ距離情報データの上限値と下限値の比率をもとに距離精度の判別を行うものであり、前記カメラ本体に具備されていることを特徴とする請求項１に記載のストロボ撮影システム。
【請求項６】ストロボ撮影に際して本発光前に予備発光を行わせるカメラにおいて、
被写界を複数に分割して測光する複数の領域を有し、予備発光による被写体からの反射光を前記複数の領域それぞれにて測光する測光手段と、装着される交換レンズからの被写体の距離情報の精度を判別する距離精度判別手段と、前記距離情報より適正測光レベルを算出する第１の演算手段と、前記距離精度判別手段の判別結果に応じて設定される距離精度と前記適正測光レベルをもとに、異常反射領域を識別するための識別レベルを算出する第２の演算手段と、前記複数の領域もしくは複数の領域中の調光領域の測光値を前記識別レベルと比較することで異常反射領域を判別する判別手段とを有し、
前記複数の領域もしくは複数の領域中の調光領域から前記異常反射領域を除外した領域による被写体反射光の測光値により、装着されるストロボの本発光量を制御してストロボ撮影を行うことを特徴とするカメラ。
【手続補正３】
【補正対象書類名】明細書
【補正対象項目名】０００１
【補正方法】変更
【補正の内容】
【０００１】
【発明の属する技術分野】本発明は、被写体に向けてストロボに予備発光を行わせ、適正露出を得るための本発光量を制御してストロボ撮影を行うストロボ撮影システムおよびカメラの改良に関するものである。
【手続補正４】
【補正対象書類名】明細書
【補正対象項目名】０００６
【補正方法】変更
【補正の内容】
【０００６】
（発明の目的）本発明の目的は、距離情報の精度に応じて、最適なストロボ発光制御を行うことのできるストロボ撮影システムおよびカメラを提供しようとするものである。
【手続補正５】
【補正対象書類名】明細書
【補正対象項目名】０００７
【補正方法】変更
【補正の内容】
【０００７】
【課題を解決するための手段】上記目的を達成するために、本発明は、カメラ本体と、該カメラ本体に装着される交換レンズと、前記カメラ本体に装着されるストロボとにより構成され、ストロボ撮影に際して本発光前に予備発光を行うストロボ撮影システムにおいて、被写界を複数に分割して測光する複数の領域を有し、予備発光による被写体からの反射光を前記複数の領域それぞれにて測光する測光手段と、フォーカシングレンズの位置から被写体の距離情報を検出する被写体距離検出手段と、前記距離情報の精度を判別する距離精度判別手段と、前記距離情報より適正測光レベルを算出する第１の演算手段と、前記距離精度判別手段の判別結果に応じて設定される距離精度と前記適正測光レベルをもとに、異常反射領域を識別するための識別レベルを算出する第２の演算手段と、前記複数の領域もしくは複数の領域中の調光領域の測光値を前記識別レベルと比較することで異常反射領域を判別する判別手段とを有し、前記複数の領域もしくは複数の領域中の調光領域から前記異常反射領域を除外した領域による被写体反射光の測光値により、本発光量を制御してストロボ撮影を行うことを特徴とするものである。
同様に、上記目的を達成するために、本発明は、ストロボ撮影に際して本発光前に予備発光を行わせるカメラにおいて、被写界を複数に分割して測光する複数の領域を有し、予備発光による被写体からの反射光を前記複数の領域それぞれにて測光する測光手段と、装着される交換レンズからの被写体の距離情報の精度を判別する距離精度判別手段と、前記距離情報より適正測光レベルを算出する第１の演算手段と、前記距離精度判別手段の判別結果に応じて設定される距離精度と前記適正測光レベルをもとに、異常反射領域を識別するための識別レベルを算出する第２の演算手段と、前記複数の領域もしくは複数の領域中の調光領域の測光値を前記識別レベルと比較することで異常反射領域を判別する判別手段とを有し、前記複数の領域もしくは複数の領域中の調光領域から前記異常反射領域を除外した領域による被写体反射光の測光値により、装着されるストロボの本発光量を制御してストロボ撮影を行うことを特徴とするものである。
【手続補正６】
【補正対象書類名】明細書
【補正対象項目名】００２０
【補正方法】変更
【補正の内容】
【００２０】
まず、カメラ本体１内の回路構成について説明する。カメラマイコン１００には、焦点検出回路１０５、測光センサ７、シャッター制御回路１０７、モータ制御回路１０８、スイッチセンス回路１１０および液晶表示回路１１１が接続されている。また、カメラマイコン１００は、撮影レンズ１１内に配置されたレンズマイコン１１２とはマウント接点１０を介して信号伝達を行い、ストロボ３０内に設けられたストロボマイコン２００とはストロボ接点群３９を介して信号伝達を行う。
【手続補正７】
【補正対象書類名】明細書
【補正対象項目名】００２１
【補正方法】変更
【補正の内容】
【００２１】
焦点検出回路１０５は、カメラマイコン１００からの信号に従って焦点検出ラインセンサ２９の蓄積制御と読み出し制御を行い、それぞれの画素情報をカメラマイコン１００に出力する。カメラマイコン１００はこの情報をＡ／Ｄ変換し、位相差検出法による焦点調節状態の検出を行い、レンズマイコン１１２と信号のやりとりを行うことによって、撮影レンズ１１の焦点調節制御を行う。
【手続補正８】
【補正対象書類名】明細書
【補正対象項目名】００４０
【補正方法】変更
【補正の内容】
【００４０】
図２で示したカメラ本体１のスイッチＳＷ１がオンされると、ステップ＃１００より動作を開始する。ここでは、カメラマイコン１００は、焦点検出回路１０５を含む焦点検出ユニット２６内の焦点検出ラインセンサ２９に結像された被写体像のずれから、公知の方法で焦点検出を行い、合焦位置までのレンズ駆動量を演算して、前述のシリアル通信ラインＬＣＫ，ＬＤＯ，ＬＤＩを介してレンズマイコン１１２に対して出力する。レンズ駆動量が入力されるとレンズマイコン１１２は、フォーカス駆動モータ１６を駆動し、それに直結したパルス板５１の回転を光検出器５０で読み取り、フォーカス駆動モータ１６が指定された駆動量を駆動するとフォーカス駆動モータ１６を停止する。
【手続補正９】
【補正対象書類名】明細書
【補正対象項目名】００４６
【補正方法】変更
【補正の内容】
【００４６】
ストロボマイコン２００は、カメラ本体１より指示された所定発光レベルに応じて、ＤＡ０端子に所定の電圧を設定する。次に、Ｙ１，Ｙ０にＨｉ，Ｌｏを出力し、入力Ｄ２を選択する。このとき、Ｘｅ管３１は未だ発光していないので、第２の受光素子３５の光電流はほとんど流れず、コンパレータ２３１の反転入力端子に入力されるモニター回路２３４の出力は発生せず、コンパレータ２３１の出力はＨｉであるので、発光制御回路２１２は導通状態となる。
【手続補正１０】
【補正対象書類名】明細書
【補正対象項目名】００４８
【補正方法】変更
【補正の内容】
【００４８】
また、ストロボマイコン２００は積分回路２３６に積分開始を指示し、この指示を受けた積分回路２３６は光量積分用の第１の受光素子３８の対数圧縮された光電出力の積分を開始すると同時に、発光時間をカウントするタイマーを起動させる。
【手続補正１１】
【補正対象書類名】明細書
【補正対象項目名】００４９
【補正方法】変更
【補正の内容】
【００４９】
予備発光が開始されると、フラット発光の発光レベル制御用の第２の受光素子３５からの光電流が多くなり、モニター回路２３４の出力が上昇する。そして、モニター回路２３４の出力がコンパレータ２３１の非反転入力に設定されている所定のコンパレート電圧より高くなると、コンパレータ２３１の出力はＬｏに反転し、発光制御回路２１２はＸｅ管３１の発光電流を遮断する。これにより、放電ループが断たれるが、ダイオード２０９およびコイル２０６により環流ループを形成し、発光電流は回路の遅れによるオーバーシュートが収まった後、徐々に減少する。
【手続補正１２】
【補正対象書類名】明細書
【補正対象項目名】００５２
【補正方法】変更
【補正の内容】
【００５２】
前述したタイマーのカウントにより所定の発光時間が経過すると、ストロボマイコン２００はＹ１，Ｙ０端子をＬｏ，Ｌｏに設定する。これにより、データセレクタ２３０の入力はＤ０、すなわちＬｏレベル入力が選択され、出力は強制的にＬｏレベルとなり、発光制御回路２１２はＸｅ管３１の放電ループを遮断する。これにより、予備発光（フラット発光）が終了する。
【手続補正１３】
【補正対象書類名】明細書
【補正対象項目名】００６６
【補正方法】変更
【補正の内容】
【００６６】
ＬＶＬ２＝ＬＶＬ１＋ＬＶＬ０
そして、適正露光となる測光レベルＬＶＬ１に判定レベルＬＶＬ０を加えたものよりも明るい領域は、異常反射領域として調光領域から排除する。すなわち、上記ステップ＃１０７で求めた、測光センサ７の各領域の被写体反射光測光値ｄＦ（０，０）〜ｄＦ（６，４）の各測光値をＬＶＬ２と比較して、ＬＶＬ２より大きい場合はそのセンサエリアを無効エリア（排除領域）と判定する。
【手続補正１４】
【補正対象書類名】明細書
【補正対象項目名】００９３
【補正方法】削除
【補正の内容】
【手続補正１５】
【補正対象書類名】明細書
【補正対象項目名】００９４
【補正方法】削除
【補正の内容】
【手続補正１６】
【補正対象書類名】明細書
【補正対象項目名】００９５
【補正方法】削除
【補正の内容】
【手続補正１７】
【補正対象書類名】明細書
【補正対象項目名】００９６
【補正方法】削除
【補正の内容】
【手続補正１８】
【補正対象書類名】明細書
【補正対象項目名】００９７
【補正方法】削除
【補正の内容】
【手続補正１９】
【補正対象書類名】明細書
【補正対象項目名】００９８
【補正方法】削除
【補正の内容】
【手続補正２０】
【補正対象書類名】明細書
【補正対象項目名】００９９
【補正方法】削除
【補正の内容】
【手続補正２１】
【補正対象書類名】明細書
【補正対象項目名】０１００
【補正方法】変更
【補正の内容】
【０１００】
【発明の効果】以上説明したように、本発明によれば、距離情報の精度に応じて、最適なストロボ発光制御を行うことができるストロボ撮影システムまたはカメラを提供できるものである。